(57)【要約】【課    題】  浄水器の内部掃除や浄水器内に備えられたフィルターの取替えの際、浄水器に別途の源水遮断バルブを備えなくても源水遮断が可能で、美麗外観と使用上の便利性のある、浄水器に備えられた流体遮断手段の提供。【解決手段】弾性スプリング４００からなる流動体を遮断する部品（手段）、給水口１１０に連結された導入通路１２０内に備えられる流体遮断具３００で、流動体遮断具３００の一端に形成された流動体制御棒３１０、前記流動体制御棒３１０に一端が連設されるもので、側部にＯリング３２１が付帯され、外径が下方に向かって上広下狭の形状を有し、他端に開閉用突起３２２が突設された開閉用本体３２０とからなり、前記ヘッド部１００とフィルター部本体２００の着脱に応じて、弾性スプリング４００によって前記導入通路１２０の開閉を制御する流体遮断具３００、前記フィルター部本体２００の上部に形成され、前記給水口１１０に連結された導入通路１２０を通過した流動体が該フィルター部本体へ流入する少なくとも１個の流入孔２１０；を備えてなる浄水器。【選択図】  図５ａ
2008532744.tif 000002
【特許請求の範囲】
【請求項１】
給水口１１０からヘッド部１００へ流動体を通す導入通路１２０を形成し、浄水された流動体を外部へ流出させる排水口１３０を有しているヘッド部１００と、ヘッド部１００と螺合され、前記ヘッド部１００の給水口１１０に連結された導入通路１２０を通して流動体が流入し、前記流入した流動体を浄水した後、前記ヘッド部１００の排水口１３０に導くフィルター部本体２００とからなる浄水器Ａにおいて、
弾性スプリング４００からなる流動体を遮断する部品（手段）；
前記給水口１１０に連結された導入通路１２０内に備えられる流体遮断具３００で、流動体遮断具３００の一端に形成された流動体制御棒３１０と、前記流動体制御棒３１０に一端が連設されるもので、側部にＯリング３２１が付帯され、外径が下方に向かって上広下狭の形状を有し、他端に開閉用突起３２２が突設された開閉用本体３２０とからなり、前記ヘッド部１００とフィルター部本体２００の着脱に応じて、弾性スプリング４００によって前記導入通路１２０の開閉を制御する流体遮断具３００；
前記フィルター部本体２００の上部に形成され、前記給水口１１０に連結された導入通路１２０を通過した流動体が該フィルター部本体へ流入する少なくとも１個の流入孔２１０；
を備えてなり、
前記導入通路１２０の一端に前記流体遮断具３００の流動体制御棒３１０の外径より大きな内径を有する円筒状突出部１２１が形成され、前記導入通路１２０の他端部には内径部が上広下狭に形成され、前記弾性スプリング４００の一端部に前記流体遮断具３００の流動体制御棒３１０が挿入され、前記弾性スプリング４００の他端部が前記円筒状突出部１２１に嵌巻されることを特徴とする浄水器Ａに備えられた流体遮断手段。
【請求項２】
さらに、前記流体遮断手段はブラケット５００を含み、
前記ブラケット５００は前記ヘッド部１００の外側面に連結固定されて壁体に固定されることを特徴とする、請求項１に記載の浄水器Ａに備えられた流体遮断手段。
【発明の詳細な説明】
【技術分野】
【０００１】
本発明は、浄水器の内部掃除、あるいは浄水器内に備えられたフィルターの取替えの際、浄水器に別途の源水遮断バルブを備えなくても源水遮断が可能である、美麗な外観と使用上の便利さを有する、浄水器に備えられた流体遮断手段に関する。
【背景技術】
【０００２】
物理的又は化学的な過程によって水を浄水する一般的な浄水器は、図１に示すように、それぞれに給水口と排水口が備えられた浄水器に、前処理浄水器１、先カーボン浄水器２、薄膜浄水器３及び後カーボン浄水器４、などで用途によって選択的に構成している。
そして、各浄水器の給水口と排水口は管で連結されている。このうち、前処理浄水器１に備えられた給水口は流水管を介して給水栓Ａに連結され、その連結された浄水器１の給水口と給水栓Ａ間の流水管には源水遮断バルブ５が設置されている。
また、後カーボン浄水器４に備えられた排水口に連結された流水管には浄水タンク６が連結されている。
このように構成される従来の浄水器は、使用中に所定周期ごとに浄水器内部を掃除するか、あるいは各浄水器内に備えられたフィルターを取り替えなければならない。
このために、源水遮断バルブ５を操作して、源水が流動しないように閉じた後、浄水器への給水を停止し、浄水器内部洗浄又はフィルターの取り替えを行った後、浄水器を再組立し、源水遮断バルブ５を操作して遮断を解除した後に使用する。
【発明の開示】
【発明が解決しようとする課題】
【０００３】
ところが、前記従来の浄水器は、室内空間の活用のために、通常壁面に隣接して設置され、浄水器と給水栓Ａを連結させる流水管には、源水を遮断させる源水遮断バルブ５が備えられているが、このような源水遮断バルブ５の場合、美観上の理由で、人の目に付かないように、室内空間に備えられた構成物（例えば、流し台、戸棚等）の内部に設置されることが望ましいが、構成物の内部空間が狭小であるから、設置に困難がある。また、浄水器の内部掃除、又は各浄水器内に備えられたフィルターの取替えの都度、源水を遮断するのに、構成物の内部に設置された源水遮断バルブ５を操作しなければならないため、使用上の不便さも発生する。
これを解消するために、美観は考慮しないで源水遮断バルブ５を給水栓Ａに隣接して設置する場合にも、給水栓の利用時（例えば、皿洗い時）、その設置された源水遮断バルブ５によって円滑な作業を行うのに制約を受けるだけでなく、依然として浄水器内部の掃除又は各浄水器内に備えられたフィルターの取替えの都度、源水を遮断するために、源水遮断バルブ５を操作しなければならない使用上の不便さがある。
したがって、本発明は、前記従来技術の問題点を解決するために外部に別途の源水遮断バルブを設置しなくても自動的に源水を遮断することができ、美麗な外観と使用上の便利さを提供する浄水器に備えられた流体遮断手段を提供することを課題とする。
【課題を解決するための手段】
【０００４】
前記目的を達成するために、本発明によれば、給水口を通じて流入する流動体を案内する導入通路が形成され、浄水された流動体を外部へ流出させる排水口からなるヘッド部と、前記ヘッド部と螺合されるもので、前記ヘッド部の給水口に連結された導入通路を通じて流動体が流入し、前記流入した流動体を浄水した後、前記ヘッド部の排水口に導くフィルター部本体とからなる浄水器Ａにおいて、弾性スプリングと；前記給水口に連結された導入通路内に備えられるもので、一端に形成された流動体制御棒と、前記流動体制御棒に一端が連設されるもので、側部にＯリングが付帯され、外径が下方に向かって上広下狭の形状を有し、他端に開閉用突起が突設された開閉用本体とからなり、前記ヘッド部とフィルター部本体間の着脱時、スプリング力によって前記導入通路の開閉を制御する流体遮断具と；前記浄水器本体の上部に形成されるのもので、前記給水口に連結された案内通路から流出される流動体が流入する流入孔と；を含んでなり、前記導入通路の一端には、前記流体遮断具の流動体制御棒の外径より大きな内径を有する円筒状突起部が形成され、前記導入通路の他端部には内径部が上広下狭に形成され、前記弾性スプリングの一端部に前記流体遮断具の流動体制御棒が挿入され、前記弾性スプリングの他端部が前記円筒状突出部に嵌巻されることを特徴とする、浄水器Ａに備えられた流体遮断手段を提供する。
本発明のほかの面によれば、前記流体遮断手段はブラケットをさらに含み、前記ブラケットは前記ヘッド部の外側面に連結固定されて壁体に固定されることができる。
【０００５】
本発明は前記従来技術の問題点を解決するためになされたもので、本発明では、外部に別途の源水遮断バルブを設置しなくても自動的に源水を遮断することができるので、美麗な外観と使用上の便利さを提供する浄水器に備えられた流体遮断手段を提供できる。
【発明の効果】
【０００６】
以下、本発明の実施例の構成及び作用について添付図面を参照しながら詳細に説明する。図２〜図５に本発明の浄水器の内部構造及び連結構造を示す。
図示のように、本発明の浄水器Ａに備えられた流体遮断手段は、給水口１１０を通じて流入する流動体を通す導入通路１２０が形成され、浄水された流動体を外部へ流出させる排水口１３０からなるヘッド部１００と、前記ヘッド部１００と螺合されるもので、前記ヘッド部１００の給水口１１０に連結された導入通路１２０を通じて流動体が流入し、その流入した流動体を浄水した後、前記ヘッド部１００の排水口１３０に導くフィルター部本体２００とからなる浄水器Ａにおいて、前記給水口１１０に連結された導入通路１２０内に備えられるもので、前記ヘッド部１００とフィルター部本体２００間の着脱時、スプリング力によって前記導入通路１２０の開閉を制御する流体遮断具３００と、前記フィルター部本体２００の上部に形成されるもので、前記給水口１１０に連結された導入通路１２０から流出される流動体が流入する流入孔２１０とを含んでいる。
【０００７】
本発明の浄水器Ａに備えられた流体遮断手段は、弾性スプリング４００をさらに含み、前記流体遮断具３００は、一端に形成された流動体制御棒３１０と、該流動体制御棒３１０に一端が連設されるもので、側部にＯリング３２１が付帯され、外径が下方に向かって上広下狭の形状を有し、他端に開閉用突起３２２が突設された開閉用本体３２０とからなり、前記導入通路１２０の一端に、前記流体遮断具３００の流動体導入棒３１０の外径より大きな内径を有する円筒状突出部１２１が形成され、前記導入通路１２０の他端部には内径部が上広下狭に形成され、前記弾性スプリング４００の一端部に前記流体遮断具３００の流動体制御棒３１０が挿入され、前記弾性スプリング４００の他端部が前記円筒状突出部１２１に嵌巻される。
ここで、前記導入通路１２０の一端部の内径は、該導入通路１２０と前記流動体制御棒３１０の間を流動体が通過するように、前記流動体遮断具３００の開閉用本体３２０の外形より大きく形成され、該導入通路１２０他端は、下方に向かって内径が小さく形成され、該導入通路１２０最下端は、前記開閉用本体３２０の開閉用突起３２２の外径が通過する大きさより若干大きい直径で形成されている。
前記フィルター部本体２００の上部に形成された流入孔２１０は、前記開閉用本体３２０に突設された開閉用突起３２２と一致しない位置に形成することが望ましい。これは、ヘッド部１００にフィルター部本体２００を螺合する時、開閉用突起３２２が弾性スプリングのスプリング力によって流入孔２１０に押し込まれて給水口１１０に連結された導入通路１２０を閉鎖させることを防止するためである。
また、流入孔２１０の数は四つ程度形成されることが望ましく、そして、流入孔２１０は前記フィルター部本体２００上部の中央を中心として等間隔及び等方位で形成される。
【０００８】
本発明の浄水器Ａに備えられた流体遮断手段は、固定板５１０と、前記固定板５１０の側面に形成され、一部が開放された掛け具５２０とからなるブラケット５００を含み、前記ブラケット５００に備えられた一部開放型の掛け具５２０を前記ヘッド部１００の外側面に連結固定されたままで壁体に固定される。この際、ブラケット５００がヘッド部１００に固く固定されるように、掛け具５２０が連結されるヘッド部１００の外側面には固定溝１４０が形成されることが望ましい。
【０００９】
本発明の流体遮断手段は、前処理浄水器１、先カーボン浄水器２、薄膜浄水器３及び後カーボン浄水器４などのような水を浄化するすべての浄水器に具備されることができ、あるいは水を浄化する浄水器のうち、選択的に適用して使うことができる。
【００１０】
以上のように構成される本発明の流体遮断手段が備えられた浄水器Ａは、使用時給水口１１０に連結された導入通路１２０内に配置される流体遮断具３００の他端の流動体制御棒３１０が導入通路１２０の一端に形成された円筒状突出部１２１の内部に挿入される。この際、前記円筒状突出部１２１の内部に押し込まれる流動体制御棒３１０の外径部には該円筒状突出部１２１を介し弾性スプリング４００が嵌巻された状態であり、開閉用本体３２０に下方に向かって突設された開閉用突起３２２の最下端が、導入通路１２０の下端に位置し、フィルター部本体２００の上部面にて支持される。
この際、弾性スプリング４００は、一端が導入通路１２０の上端面と開閉用本体３２０によって圧縮された状態で、導入通路１２０と円筒状突出部１２１に挿入された流動体制御棒３１０の間に示された空間を通じて源水は、給水口１１０を通ってヘッド部１００へ流入する。そして、フィルター部本体２００の上部面へ導入通路１２０最下端から流出される。
また、流出された源水はフィルター部本体２００の上部に形成された流入孔２１０を通じてフィルター部本体内部に流入して浄水された後、排水口１３０を通じて流出されることで、浄水処理工程が実行される。
【００１１】
このように、流体遮断具による浄水処理工程は、水を浄化するすべての浄水器に適用するか、あるいは選択的に適用して使うことができる。
また、使用中、浄水器Ａの内部掃除又は浄水器Ａ内に備えられたフィルターの取り替えを行おうとする場合、浄水器Ａの構成部のうち、フィルター部本体２００を握って回すことで、ヘッド部１００からフィルター部本体２００の結合を解除すれば、流動体制御棒３１０と円筒状突出部１２１との間で圧縮された弾性スプリング４００はスプリング力によって復元され、これと同時に流体遮断具３００の開閉用本体３２０も連動して導入通路１２０の端部に移動して、上広下狭の形状を有する導入通路１２０の端部に密着して導入通路１２０を閉鎖させる。
この際、流体遮断具３００の開閉用本体３２０の側部にはＯリング３２１が付帯されているので、密閉性を向上させる。
これにより、給水口１１０を通じて流入する源水がフィルター部本体２００側に流入することを事前に遮断するので、別途の源水遮断バルブが設置されていなくても源水を遮断することができ、浄水器Ａの内部掃除又は浄水器Ａ内に備えられたフィルターの取り替えを一層便利に行うことができる。
また、本発明の流体遮断手段を備えた浄水器Ａは、壁体に堅固に固定設置するために、ブラケット５００の掛け具５２０をヘッド部１００の形成された固定溝１４０に結合して使うことができる。
【図面の簡単な説明】
【００１２】
【図１】浄水器内部に備えられた従来の各浄水器間の連結構造を示す要部構成図。
【図２】浄水器内部に備えられた本発明の各浄水器間の連結構造を示す要部構成図。
【図３】本発明の浄水器の分解斜視図。
【図４】本発明の浄水器の結合断面図。
【図５ａ】発明の浄水器の作動状態を示す断面図。
【図５ｂ】本発明の浄水器の作動状態を示す断面図。
【符号の説明】
【００１３】
Ａ．本発明の浄水器
１．前処理浄水器
２．先カーボン浄水器
３．薄膜浄水器
４．後カーボン浄水器
５．源水遮断バルブ
６．浄水タンク
１００．ヘッド部
１１０．給水口
１２０．導入通路
１２１．円筒状突出部
１３０．排水口
１４０．固定溝
２００．フィルター部本体
２１０．流入口
３００．流体遮断具
３１０．流動体制御棒
３２０．開閉用本体
３２１．０リング
３２２．開閉用突起
４００．弾性スプリング
５００．ブラケット
５１０．固定板
５２０．ブラケットの掛け具
【図１】
2008532744.tif 000003
【図２】
2008532744.tif 000004
【図３】
2008532744.tif 000005
【図４】
2008532744.tif 000006
【図５ａ】
2008532744.tif 000007
【図５ｂ】
2008532744.tif 000008
【国際調査報告】
2008532744.tif 000009
2008532744.tif 000010